(57)【要約】【課題】仮設足場の吊下げなどに使用されるフック付きチエンの使用状態での安全性を高めることの出来る、経済的で容易に使用出来るチエンフックの外れ止め具を提供する。【解決手段】チエン１の端部に取り付けられたフック３がチエンリンク２ａに引っ掛けられた状態において、当該フック３とこのフックが係合するチエンリンク２ａとを一体に把持する外れ止め具８であって、前記フック３の前記チエンリンク２ａの片側に位置する部分３ａに嵌合する嵌合用本体９と、この本体の左右両側壁部から連設された開閉自在な左右一対の把持用部材１０，１１とから成り、この左右一対の把持用部材には、この左右一対の把持用部材が前記チエンリンク２ａを両側から把持する閉じ状態を保持させるための係脱自在な係合手段１２が設けられた構成。【選択図】図１
2014214505.tif 000002
【特許請求の範囲】
【請求項１】
チエンの端部に取り付けられたフックがチエンリンクに引っ掛けられた状態において、当該フックとこのフックが係合するチエンリンクとを一体に把持する外れ止め具であって、前記フックの前記チエンリンクの片側に位置する部分に嵌合する嵌合用本体と、この本体の左右両側壁部から連設された開閉自在な左右一対の把持用部材とから成り、この左右一対の把持用部材には、この左右一対の把持用部材が前記チエンリンクを両側から把持する閉じ状態を保持させるための係脱自在な係合手段が設けられている、チエンフック外れ止め具。
【請求項２】
前記係合手段は、一方の把持用部材側に突設された係合用爪と、他方の把持用部材側に設けられて前記係合用爪が係脱自在に係合する被係合用孔から構成されている、請求項１に記載のチエンフック外れ止め具。
【請求項３】
左右一対の把持用部材の先端部が互いに重なる状態にあるとき、これら両把持用部材の先端部を互いに開動させる方向に付勢する弾性部が設けられ、前記被係合用孔は、他方の把持用部材の先端にヒンジ部を介して一方の把持用部材側へ折曲自在に連設された可動部に設けられ、前記係合用爪と被係合用孔とは、左右一対の把持用部材の先端部を前記弾性部の弾性に抗して互いに重なる状態にしたときに係脱可能に構成されている、請求項２に記載のチエンフック外れ止め具。
【請求項４】
他方の把持用部材に連設された前記可動部には、その先端にヒンジ部を介して連設されて一方の把持用部材の外側に重ねる方向に折曲自在な摘み部が連設されている、請求項３に記載のチエンフック外れ止め具。
【請求項５】
前記弾性部は、左右一対の前記把持用部材の内、片側の把持用部材から相手側の把持用部材に向かって斜めに突設された弾性舌片によって構成され、左右一対の把持用部材の先端部が互いに重なる状態にあるとき、相手側の把持用部材によって弾性変形した前記弾性舌片が両把持用部材の先端部を互いに開動させる方向に付勢するように構成されている、請求項３又は４に記載のチエンフック外れ止め具。
【請求項６】
前記嵌合用本体の内面には、この嵌合用本体内に嵌合するフックの側面に圧接する突起が突設されている、請求項１〜５の何れか１項に記載のチエンフック外れ止め具。
【請求項７】
左右一対の把持用部材は、この両把持用部材が把持する前記チエンリンクの左右両側に位置するヒンジ部によって、前記嵌合用本体と一体の基部とこの基部に対して開閉自在な把持用部材本体とに分けられ、この把持用部材本体の内側に複数の舌片が突設され、これら舌片と前記基部との間に前記チエンリンクが嵌まり込む空間が形成される、請求項１〜６の何れか１項に記載のチエンフック外れ止め具。
【発明の詳細な説明】
【技術分野】
【０００１】
本発明は、仮設足場の吊下げなどに使用されるフック付きチエンのフック外れ止め具に関するものである。
【背景技術】
【０００２】
仮設足場の吊下げなどに使用されるフック付きチエンは、適当な手段で構造体から吊り下げたチエンの端部に取り付けられたフックを当該チエンの適当高さにあるリンクに引っ掛けることによってチエンのループ部を形成し、このチエンのループ部によって足場板支持用鋼管などを吊り下げるものであり、前記フックは、適当厚さの鋼板を釣り針形に裁断したものである。このフック付きチエンの使用状態において、十分にテンションが作用していないチエンでは、振動などによりフックがガタついてチエンリンクから外れてしまう恐れがある。このようなフックの不測の外れを防止するためには、特許文献を示すことは出来ないが、外れ止め用の逆止バネが取り付けられたフックを採用するか又は、使用状態のフックと当該フックが係合するチエンリンクの周囲にガムテープや面ファスナー付きテープなどを巻き付ける方法などが知られている。
【発明の概要】
【発明が解決しようとする課題】
【０００３】
上記のような外れ止め用の逆止バネが取り付けられたフックを採用する方法は、新規にフック付きチエンを購入する場合の選択肢としては効果的であるが、このような外れ止め手段を持たないフックが取り付けられているチエンを多数所有している一般的なユーザーが採用する方法としてはコストがかかり過ぎて実用的ではない。又、チエンリンクの周囲にガムテープや面ファスナー付きテープなどを巻き付ける方法は、比較的安価に実施することは出来るが、手間が掛かり、しかもその巻き付け方によっては、十分な効果を確実に得ることが難しい。
【課題を解決するための手段】
【０００４】
本発明は、上記のような従来の問題点を解消することのできるチエンフック外れ止め具を提案するものであって、本発明に係るチエンフック外れ止め具は、後述する実施例との関係を理解し易くするために、当該実施例の説明において使用した参照符号を括弧付きで付して示すと、チエン(1)の端部に取り付けられたフック(3)がチエンリンク(2a)に引っ掛けられた状態において、当該フック(3)とこのフック(3)が係合するチエンリンク(2a)とを一体に把持する外れ止め具(8)であって、前記フック(3)の前記チエンリンク(2a)の片側に位置する部分(3a)に嵌合する嵌合用本体(9)と、この本体(9)の左右両側壁部(13a,13b)から連設された開閉自在な左右一対の把持用部材(10,11)とから成り、この左右一対の把持用部材(10,11)には、この左右一対の把持用部材(10,11)が前記チエンリンク(2a)を両側から把持する閉じ状態を保持させるための係脱自在な係合手段(12)が設けられた構成になっている。
【発明の効果】
【０００５】
上記本発明の構成によれば、チエンリンクに引っ掛けられた使用状態のフックの背部に対して嵌合用本体を嵌合させると共に左右一対の把持用部材を閉じて、フックとこのフックが係合するチエンリンクとを一体に把持させた状態で、係合手段を係合させて左右一対の把持用部材を閉じ状態に保持させることにより、フックとこのフックが係合するチエンリンクとが一体に把持され、フックが係合しているチエンリンクに対して当該フックが相対移動することが防止される。従って、何らかの原因でフックがチエンリンクから外れる方向に移動する外力が作用したとしても、その外力が前記嵌合用本体と左右一対の把持用部材とで受け止められ、フックがチエンリンクから外れるのを阻止することになり、安全に使用出来る。しかも、フック側に特別な外れ止め手段を設けるのではなく、外れ止め手段を持たない一般的なフックに対して、その使用時に本発明の外れ止め具を装着するだけで良いので、経済的に実施出来る。更に、各種テープを巻き付けてフックとチエンリンクとを縛り付けることによりフックの外れを防止する場合と比較して、簡単容易にしかも確実にフックの外れ止め効果が得られる。
【０００６】
尚、前記係合手段(12)は、一方の把持用部材(11)側に突設された係合用爪(25)と、他方の把持用部材(10)側に設けられて前記係合用爪(25)が係脱自在に係合する被係合用孔(26)から構成することが出来る。この構成によれば、係合手段を含めて外れ止め具全体を合成樹脂にて一体成形することが出来、別部品を必要とする係合手段を組み合わせる場合と比較して安価に実施出来るだけでなく、取り扱いが一層容易になる。
【０００７】
係合手段(12)を上記のように構成する場合には、左右一対の把持用部材(10,11)の先端部が互いに重なる状態にあるとき、これら両把持用部材(10,11)の先端部を互いに開動させる方向に付勢する弾性部(23)を設け、前記被係合用孔(26)は、他方の把持用部材(10)の先端にヒンジ部(18)を介して一方の把持用部材(11)側へ折曲自在に連設された可動部(19)に設け、前記係合用爪(25)と被係合用孔(26)とは、左右一対の把持用部材(10,11)の先端部を前記弾性部(23)の弾性に抗して互いに重なる状態にしたときに係脱可能に構成することが出来る。この構成によれば、左右一対の把持用部材の先端部を前記弾性部の弾性に抗して互いに重ねた状態で、被係合用孔を有する前記可動部を折曲させて係合用爪と被係合用孔を互に係合させ、その後、左右一対の把持用部材の先端部を互に重ねるように作用させていた操作力を解除すると、左右一対の把持用部材の先端部が前記弾性部の弾性で互に離間する方向に開動するので、この開動動作により前記係合用爪と被係合用孔とが、前記可動部が逆方向に折曲するのを阻止する状態に係合するように構成することが出来る。従って、左右一対の把持用部材の開動を、係合用爪の先端鉤部の引っ掛かりで阻止するのではなく、当該係合用爪全体と被係合用孔との係合により阻止できるので、係合手段の係合状態の保持力が大きく、十分な安全性が得られる。
【０００８】
更に、他方の把持用部材(10)に連設された前記可動部(19)には、その先端にヒンジ部(20)を介して連設されて一方の把持用部材(11)の外側に重ねる方向に折曲自在な摘み部(21)を連設することが出来る。この構成によれば、前記係合手段の係合操作及び係合解除操作が前記摘み部の存在により容易に行えるだけでなく、係合状態において前記摘み部を一方の把持用部材の外側に重なる向きに切り換えておくことにより、係合解除時に必要な一つの操作、即ち、左右一対の把持用部材の先端部を前記弾性部の弾性に抗して互に重ねるように挟み付ける操作が前記摘み部の存在により出来なくなるので、係合解除時には、最初に前記摘み部を逆方向に開動させる操作が必要になり、係合解除時の操作が一行程増えることになって、不測に係合手段の係合状態が解除されてしまう恐れを一層確実に防止出来る。
【０００９】
前記弾性部(23)は、左右一対の把持用部材(10,11)の開閉用ヒンジ部(16)によって構成することも可能であるし、場合によっては、板バネやコイルバネなどの別部材を組み込んで構成することも可能であるが、前記弾性部(23)を、左右一対の前記把持用部材(10,11)の内、片側の把持用部材(10)から相手側の把持用部材(11)に向かって斜めに突設された弾性舌片(22)によって構成し、左右一対の把持用部材(10,11)の先端部が互いに重なる状態にあるとき、相手側の把持用部材(11)によって弾性変形した前記弾性舌片(22)が両把持用部材(10,11)の先端部を互いに開動させる方向に付勢するように構成することが出来る。この構成によれば、別部材を追加せずに弾性部を把持用部材の先端に近い位置、即ち、両把持用部材の先端部が互いに重なる状態にあるときのみ、当該両把持用部材を互に開動させる方向に効率良く付勢出来る位置に簡単に設けることが出来る。
【００１０】
前記嵌合用本体(9)の内面には、この嵌合用本体(9)内に嵌合するフック(3)の側面に圧接する突起(14)を突設することが出来る。この構成によれば、嵌合用本体の内側空間全体の巾を、フックにガタつきなく嵌合出来る寸法になるように精度良く製造しなければならない場合と比較して、多少板厚の異なるフックであっても、突起の弾性変形又は嵌合用本体の側壁部の弾性変形を利用して、常にガタつきなく安定的に嵌合用本体をフックの背部に嵌合させることが出来る。
【００１１】
左右一対の把持用部材は、嵌合用本体に隣接する基端部をヒンジ部によって嵌合用本体に開閉自在に連設して、この両把持用部材の全体が嵌合用本体に対して開閉するように構成することも出来るが、左右一対の把持用部材(10,11)を、当該左右一対の把持用部材(10,11)が把持する前記チエンリンク(2a)の左右両側に位置するヒンジ部(16)によって、前記嵌合用本体(9)と一体の基部(15)とこの基部(15)に対して開閉自在な把持用部材本体(17)とに分け、この把持用部材本体(17)の内側に複数の舌片(24)を突設し、これら舌片(24)と前記基部(15)との間に前記チエンリンク(2a)が嵌まり込む空間が形成されるように構成することが出来る。この構成によれば、把持用本体に一体に成形されたチエンリンク嵌合凹部を設ける場合と比較して、嵌合用本体と一体の強度的にしっかりとした基部と把持用部材本体の複数の舌片との間でチエンリンクを挟むことになるので、フックに対するチエンリンクの向きに殆ど関係なく、左右一対の把持用部材を閉じてフックとチエンリンクとを一体に把持させることが容易になり、しかもしっかりと把持用柱状部材させることが出来る。
【図面の簡単な説明】
【００１２】
【図１】図１Ａは、外れ止め具装着前の使用状態のフックを示す側面図、図１Ｂは、使用状態のフックに外れ止め具を装着した状態を示す側面図である。
【図２】図２Ａは、外れ止め具装着前の使用状態のフックを示す背面図、図２Ｂは、使用状態のフックに外れ止め具を装着した状態を示す背面図である。
【図３】図３は、外れ止め具の正面図である。
【図４】図４は、外れ止め具の背面図である。
【図５】図５は、外れ止め具の右側面図である。
【図６】図６は、図３のＸ−Ｘ線断面図である。
【図７】図７は、外れ止め具の平面図である。
【図８】図８は、図５のＹ−Ｙ線断面図である。
【図９】図９は、外れ止め具をフックに装着する第一段階を示す一部横断平面図である。
【図１０】図１０は、外れ止め具をフックに装着した状態を示す一部横断平面図である。
【発明を実施するための形態】
【００１３】
図１Ａ及び図２Ａに示すフック付チエン１は、仮設足場の足場板を支持する鋼管を吊り下げている状態でのフック係合箇所を示しており、長円形のチエンリンク２で構成されたチエン１の端部には、当該チエンコンベヤの適当位置にあるチエンリンク２ａに引っ掛けるためのフック３が取り付けられている。このフック３は、適当厚さの鋼板を釣り針形に裁断したもので、チエンリンク２が通される貫通孔４が一端に設けられた軸部５の他端からＵ字形につながる尖端部６を延出させたものであり、メーカーによって軸部５の形状に多少の違いがあっても、軸部５と尖端部６との間のＵ字形部分７の外側縁は円弧形に張り出した形状である。
【００１４】
上記のようなフック付チエン１の使用状態でのフック３に装着して使用する外れ止め具８の構造を、図３〜図８に基づいて説明すると、この外れ止め具８は、嵌合用本体９と左右一対の把持用部材１０，１１、及び係合手段１２を備え、その全体がＰＰなどの合成樹脂により一体成形されたものである。
【００１５】
嵌合用本体９は、図１Ｂ及び図２Ｂに示すように、使用状態のフック３のリンクチエン２ａの片側（尖端部６とは反対側）に位置する部分３ａ（軸部５からＵ字形部分７に至る部分）に対して嵌合離脱自在な、側面形状が下窄まりのほぼＤ形のもので、その直線部がフック３の板厚より巾広のスリット状開口９ａとなっている。この嵌合用本体９の左右両側壁部１３ａ，１３ｂの内面には、前記スリット状開口９ａの長さ方向に対してほぼ直角向きの複数本の細長い突起１４が、互に対向するように前記スリット状開口９ａの長さ方向適当間隔おきに一体に形成され、これら互に対向する細長い突起１４間の間隔がフック３の板厚とほぼ同一か少し狭くなるように構成されている。
【００１６】
把持用部材１０，１１は、嵌合用本体９のスリット状開口９ａの上端における左右両側壁部１３ａ，１３ｂから左右両側に連設されたもので、嵌合用本体９に対して固定状態で直角外向きに延出する基部１５と、この基部１５に対して、スリット状開口９ａの長さ方向と平行な薄肉のヒンジ部１６を介して開閉自在に連設され且つ中間位置で外側に屈曲する平面形状がくの字形の把持用部材本体１７から構成されている。そして一方の把持用部材１０には、その把持用部材本体１７の先端に、前記ヒンジ部１６と平行な薄肉のヒンジ部１８を介して可動部１９が連設され、更にこの可動部１９の先端には、前記ヒンジ部１８と平行な薄肉のヒンジ部２０を介して円形に張り出した摘み部２１が連設されている。又、この把持用部材１０には、その把持用部材本体１７の中間屈曲部と可動部１９との間の内側（相手側の把持用部材１１のある側）に、当該中間屈曲部に隣接する位置から可動部１９のある側へ斜めに突出する弾性舌片２２が切り起こしにより一体成形され、この弾性舌片２２により、閉じた両把持用部材１０，１１を開く方向に付勢する弾性部２３が構成されている。更に、両把持用部材１０，１１には、その把持用部材本体１７の中間屈曲部とヒンジ部１６との間の内側（相手側の把持用部材１１，１０のある側）の側面に、当該把持用部材本体１７の巾方向適当間隔おきに並列する複数の把持用舌片２４が一体成形により突設されている。
【００１７】
前記係合手段１２は、一方の把持用部材１１の先端（把持用部材本体１７の先端）からその延長方向に突設された係合用爪２５と、他方の把持用部材１０の可動部１９に設けられた矩形の被係合用孔２６とから構成されている。前記係合用爪２５は、被係合用孔２６を貫通する軸部の先端外側に逆止用爪部２５ａが連設されたものである。
【００１８】
尚、左右一対の把持用部材１０，１１の基部１５の外側の入隅部には、補強のためのリブ１５ａを当該基部１５の巾方向適当間隔おきに一体に突設している。このように、一般的に合成樹脂の成形品を製造する場合には、歪の抑制、材料の節減、必要強度の確保などのために、基本的には薄肉に成形して適宜補強用リブを一体成形するのが常套手段であるが、図示の実施例では、この常套手段の具体的表示と説明は省略している。又、図７に示す状態が、本実施例での外れ止め具８の成形時の形態であり、嵌合用本体９の深さ方向が成形型からの抜き方向である。
【００１９】
以上のように構成された外れ止め具８の使用方法を説明すると、図３〜図８に示す使用前（成形直後）の外れ止め具８は、図１Ａ及び図２Ａに示す使用状態のフック３に対し、当該フック３のチエンリンク２ａに対し尖端部６とは反対側の部分３ａに嵌合用本体９を、左右一対の把持用部材１０，１１がチエンリンク２ａの長さ方向の中間高さに位置する向きで嵌合させる。このとき、嵌合用本体９の内側の細長い突起１４の存在により、フック３に対し嵌合用本体９をガタつきなくしっかりと嵌合させることが出来る。この状態で左右一対の把持用部材１０，１１の把持用部材本体１７を、ヒンジ部１６を支点に互に接近させる方向、即ち、内側へ折曲させると、図９に示すように、チエンリンク２ａのフック３の両側に位置する部分が両把持用部材１０，１１の基部１５と把持用部材本体１７の把持用舌片２４との間に挟まれる状態になる。このとき、チエンリンク２ａとフック３との間の角度によっては、把持用舌片２４がチエンリンク２ａとの圧接で撓み変形する。
【００２０】
そして両把持用部材１０，１１の把持用部材本体１７の先端部を互に重ねるように指先で挟み付けると、弾性部２３の弾性舌片２２が相手側の把持用部材１１の把持用部材本体１７に圧接して弾性変形する過程を伴って、係合手段１２の係合用爪２５の先端に被係合用孔２６が隣接する状態になる。この状態で把持用部材１０側の摘み部２１を把持用部材１１側へ直角向きに引っ張ると、可動部１９がヒンジ部１８を支点に把持用部材１０側へほぼ直角に折曲し、図１０に示すように、係合手段１２の係合用爪２５に可動部１９の被係合用孔２６が嵌合し、当該係合用爪２５の逆止用爪部２５ａが被係合用孔２６を貫通して反対側に突出する。
【００２１】
最後に、把持用部材１１の把持用部材本体１７を、相手側の把持用部材１０の把持用部材本体１７側に押し付けていた操作力から開放させると共に、摘み部２１を更に把持用部材１１の把持用部材本体１７に重ねるように可動部１９に対してヒンジ部２０を支点に折曲させると、把持用部材１１の把持用部材本体１７が弾性部２３の弾性舌片２２が弾性復帰するのに伴って相手側の把持用部材１０の把持用部材本体１７から離れるように開動するので、図示のように、係合用爪２５の逆止用爪部２５ａが被係合用孔２６の外側に係合する。この結果、可動部１９がヒンジ部１８を支点に把持用部材本体１７の延長姿勢になる方向に折曲するのが阻止される。又、把持用部材１１の把持用部材本体１７に重ねられるように折曲された摘み部２１の存在は、係合用爪２５を有する把持用部材１１の把持用部材本体１７を相手側の把持用部材１０の把持用部材本体１７に接近させ方向に操作することを妨げている。
【００２２】
以上のようにしてフック３に装着された外れ止め具８は、フック３と当該フック３が係合しているチエンリンク２ａとを一体に把持しており、フック３がチエンリンク２ａから外れる方向に運動することを防止しているので、この外れ止め具８を取り外さない限り、チエンリンク２ａからフック３を外すことは出来ない。
【００２３】
チエンリンク２ａからフック３を外すために外れ止め具８を取り除くときは、取付け時と逆の手順で操作すれば良い。即ち、摘み部２１を把持用部材１１の把持用部材本体１７から離すように引き起こした状態で両把持用部材１０，１１の把持用部材本体１７どうしを指先で挟んで、弾性部２３の弾性舌片２２の弾性に抗して両把持用部材１０，１１の把持用部材本体１７どうしを互いに接近させる。この結果、係合手段１２の係合用爪２５が被係合用孔２６内で把持用部材１０側に移動し、逆止用爪部２５ａと被係合用孔２６との係合が解かれるので、摘み部２１を可動部１９と共に把持用部材１０の把持用部材本体１７の延長姿勢の方向に回動させ、各ヒンジ部１８，２０を支点にして可動部１９と摘み部２１とを把持用部材１０の把持用部材本体１７の延長姿勢に切り換えることにより、可動部１９の被係合用孔２６と係合用爪２５とを互いに離脱させる。そして最後に、両把持用部材１０，１１の把持用部材本体１７をそれぞれヒンジ部１６を支点に、間に位置するフック３から左右に遠ざけるように開くことにより、嵌合用本体９をフック３から抜き取り、外れ止め具８をフック３から取り外すことが出来る。
【産業上の利用可能性】
【００２４】
本発明のチエンフック外れ止め具は、仮設足場の吊下げなどに使用されるフック付きチエンの使用状態での安全性を高めることの出来る、経済的で容易に使用出来る手段として活用出来る。
【符号の説明】
【００２５】
１    フック付チエン
２，２ａ    チエンリンク
８    外れ止め具
９    嵌合用本体
１０，１１    把持用部材
１２    係合手段
１５    把持用部材の基部
１６，１８，２０    ヒンジ部
１７    把持用部材本体
１９    可動部
２１    摘み部
２２    弾性舌片
２３    弾性部
２４    把持用舌片
２５    係合用爪
２６    被係合用孔
【図１】
2014214505.tif 000003
【図２】
2014214505.tif 000004
【図３】
2014214505.tif 000005
【図４】
2014214505.tif 000006
【図５】
2014214505.tif 000007
【図６】
2014214505.tif 000008
【図７】
2014214505.tif 000009
【図８】
2014214505.tif 000010
【図９】
2014214505.tif 000011
【図１０】
2014214505.tif 000012